(57)【特許請求の範囲】
【請求項１】
戸枠の天井側上枠部に引戸レールを固定する一方、引戸は、その上端面の戸先側と戸尻側にそれぞれ戸車を回転自在に枢支した戸車ユニットを搭載し、該戸車ユニットの戸車を前記引戸レールに係合して開閉方向に移動自在に懸架する引戸構造体において、引戸と前記上枠部との間に開いた上部隙間をシャッタで遮蔽する引戸上部シャッタ装置であって、
前記引戸レールの側面に組み付け、前記シャッタを、前記上部隙間を開放する高さの第１位置と、該上部隙間を遮蔽する高さの第２位置とに昇降可能に支持する支持手段と、
前記引戸が閉方向に移動して開口部を全閉する直前の所定始動位置に至ると、前記シャッタを閉方向へ動かす作動手段と、
該作動手段を作動して前記シャッタが閉方向に始動すると、該シャッタを、前記第１位置から、前記引戸と平行な姿勢を保持して並走させながら、カム面の斜面に沿って下降させて前記第２位置に向けて案内する一方、前記シャッタが開方向に始動すると、該シャッタを、前記カム面の斜面に沿って上昇させて前記第１位置に向けて案内するガイド手段とを備え、
前記作動手段は、引戸側において、前記戸車ユニットにおける前記戸車の戸先側前方に備える第１マグネットと、前記シャッタ側において、引戸を開閉するときに該第１マグネットと横に並んで引き違う高さ位置に備える第２マグネットとで構成し、前記引戸が閉方向に移動し、前記第１マグネットが前記シャッタ側の第２マグネットと引き違う前記シャッタの所定始動位置に至ると、前記第１マグネットが前記第２マグネットを磁気的に吸引して前記シャッタを閉方向に始動させてなることを特徴とする、引戸上部シャッタ装置。
【発明の詳細な説明】
【技術分野】
【０００１】
本発明は、病院や福祉施設等において、引戸で開口部を閉じて部屋を使用するとき、シャッタを降ろして引戸と戸枠の天井側上枠部との間に開いた隙間を遮蔽する引戸上部シャッタ装置に関する。
【背景技術】
【０００２】
病院や福祉施設等には、音や臭いが漏れないように密閉性が求められる部屋があり、その種の部屋では、引戸の下部と床との間および引戸の上部と戸枠の天井側上枠部との間にそれぞれ開いた隙間を遮蔽して部屋の内外を気密に仕切る必要がある。
【０００３】
そこで、従来、引戸の下部には、例えばゴム等の弾性材からなるシャッタを、錠前の操作具による施解錠操作に連動して昇降するように取り付け、閉時、引戸を閉めてから錠前の操作具を操作して施錠すると、この施錠操作に連動してシャッタを下降し、引戸と床との間に開いた隙間を遮蔽するシャッタ装置が提案されている（特許文献１参照）。
【０００４】
一方、引戸の上部は、通常、例えばゴム等の弾性材からなるシャッタを、天井側上枠部に固定して引戸の開閉方向に沿って垂れ下げ、閉時、引戸が閉方向に移動すると、引戸の上部がシャッタに接触し、引戸と戸枠の上枠部との間の隙間を遮蔽する気密構造にしている（特許文献２参照）。
【先行技術文献】
【特許文献】
【０００５】
【特許文献１】特開平  ９−１５１６７９号公報
【特許文献２】特開平１１−６３７２号公報
【発明の概要】
【発明が解決しようとする課題】
【０００６】
ところが、上述した従来の引戸上部の気密構造では、引戸を移動して開口部を開閉すると、その都度、引戸は、その上部が上枠部に固定したシャッタに接触し、引き摺りながら移動するため、引戸で開口部を開閉するたびに、シャッタが引戸の上部に擦れる騒音を発生し、しかも、シャッタが引戸に擦れると劣化しやすく耐久性に乏しいという課題があった。
【０００７】
そこで、本発明の目的は、シャッタが擦れる騒音を発生させることなく、しかも、シャッタの耐久性を低下させることなく、閉時に引戸と戸枠の上枠部との間の隙間を確実に遮蔽する引戸上部シャッタ装置を提供することにある。
【０００８】
本発明の目的を達成すべく、請求項１に記載の発明は、たとえば以下に示す図示実施の形態のとおり、戸枠１０の天井側上枠部１０ａに引戸レール１１を固定する一方、引戸１２は、その上端面の戸先側と戸尻側にそれぞれ戸車１８を回転自在に枢支した戸車ユニットｒを搭載し、該戸車ユニットｒの戸車１８を前記引戸レール１１に係合して開閉方向Ｘ・Ｙに移動自在に懸架する引戸構造体において、引戸１２と前記上枠部１０ａとの間に開いた上部隙間ｇをシャッタ１５で遮蔽する引戸上部シャッタ装置Ｒであって、前記引戸レール１１の側面に組み付け、前記シャッタ１５を、前記上部隙間ｇを開放する高さの第１位置と、該上部隙間ｇを遮蔽する高さの第２位置とに昇降可能に支持するシャッタケース２５のような支持手段と、前記引戸１２が閉方向Ｘに移動して開口部Ｓを全閉する直前の所定始動位置に至ると、前記シャッタ１５を閉方向Ｘへ動かす作動手段３５と、該作動手段３５を作動して前記シャッタ１５が閉方向Ｘに始動すると、該シャッタ１５を、前記第１位置から、前記引戸１２と平行な姿勢を保持して並走させながら、カム面３６ｂ・３７ｂの斜面に沿って下降させて前記第２位置に向けて案内する一方、前記シャッタ１５が開方向に始動すると、該シャッタ１５を、前記カム面３６ｂ・３７ｂの斜面に沿って上昇させて前記第１位置に向けて案内するガイド手段３０と、を備え、前記作動手段３５は、引戸側において、前記戸車ユニットｒにおける前記戸車１８の戸先側前方に備える第１マグネット５５と、前記シャッタ側１５において、引戸１２を開閉するときに該第１マグネット５５と横に並んで引き違う高さ位置に備える第２マグネット６０とで構成し、前記引戸１２が閉方向Ｘに移動し、前記第１マグネット５５が前記シャッタ１５側の第２マグネット６０と引き違う前記シャッタ１５の所定始動位置に至ると、前記第１マグネット５５が前記第２マグネット６０を磁気的に吸引して前記シャッタ１５を閉方向Ｘに始動させてなることを特徴とする。
【発明の効果】
【００１０】
本発明によれば、閉時、引戸が開口部を全閉する直前の所定始動位置に至ると、作動手段を作動してシャッタを閉方向に始動し、シャッタが閉方向に動き出すと、シャッタを、引戸と上枠部との間の上部隙間を開放した高さの第１位置から、引戸と平行な姿勢を保持して並走させながら下降させて、上部隙間を遮蔽する高さの第２位置に向けて案内する構成であるため、引戸を閉方向に移動して開口部を全閉する頃、シャッタは、引戸と平行に並走しながら、その引戸の上端面に先端縁を着地させて上枠部との間の上部隙間を遮蔽し、上部隙間から音や臭いが漏れないように確実に部屋を仕切って密閉することができる。
【００１１】
しかも、本発明によれば、閉時に上部隙間を遮蔽するとき、シャッタを、上部隙間を開放した高さの第１位置から、引戸と平行な姿勢を保持して引戸と平行に並走しながら降下し、その引戸の上に先端縁を置くように着地させて上部隙間を遮蔽するため、引戸の閉止途中に、シャッタの先端縁が引戸の上端面を擦ったり摺ったりすることがなく、その結果、引戸を擦ったりして騒音を発生したり、シャッタが劣化して耐久性が低下するのを防止することができる。
【図面の簡単な説明】
【００１２】
【図１】（Ａ）はシャッタ格納状態で引戸を閉止する引戸構造体の上部戸先側を示す正面図、（Ｂ）は側面図である。
【図２】戸車ユニットを示す斜視図である。
【図３】作動手段の第１マグネットを示す分解斜視図である。
【図４】シャッタユニットを示す分解斜視図である。
【図５】シャッタユニットを示す組立斜視図である。
【図６】本発明の引戸上部シャッタ装置を備えた引戸構造体を示す正面図である。
【図７】（Ａ）は引戸を閉止途中のシャッタユニットの状態を示す正面図、（Ｂ）は縦断面図である。
【図８】シャッタが降下途中の状態で引戸を全閉する直前での引戸構造体の上部戸先側を示す正面図である。
【図９】（Ａ）は引戸が全閉直前でのシャッタユニットの状態を示す正面図、（Ｂ）は縦断面図である。
【図１０】（Ａ）は引戸が全閉した引戸構造体の上部戸先側を示す正面図、（Ｂ）は側面図である。
【図１１】（Ａ）は引戸が全閉したときのシャッタユニットの状態を示す正面図、（Ｂ）は縦断面図である。
【発明を実施するための形態】
【００１３】
以下、図面を参照しつつ、本発明の実施形態について説明する。
【００１４】
図６は、本発明の引戸上部シャッタ装置を備えた引戸構造体を示す正面図、図１（Ａ）は、シャッタ格納状態で引戸を閉止する引戸構造体の上部戸先側を示す正面図、（Ｂ）は側面図である。図示引戸構造体は、横長矩形な戸枠１０の上枠部１０ａに固定した引戸レール１１に引戸１２を図中左右の開閉方向に移動自在に懸架し、引手１３に手を掛けて引戸１２を移動して床（鴨居）Ｆと戸枠１０と仕切り壁（戸袋）Ｗで囲んだ開口部Ｓを開閉すると同時に、引戸上部シャッタ装置Ｒでシャッタ１５を昇降させて引戸１２と上枠部１０ａとの間に開いた上部隙間ｇを開閉する構造になっている。
【００１５】
図示例の引戸構造体において、引戸レール１１は、アルミ製の戸車用ガイドレールで、略角パイプ状をなすレール本体１１ａの下面中央に長さ方向に沿って逃げ溝１１ｂを設け、逃げ溝１１ｂを挟んだ両側に戸車１８が係合する走行リブ１１ｃを平行に列設する。一方、上面の両側縁には、細長い右勝手と左勝手用に一対の差込溝１１ｄ・１１ｅを平行に凹設している。そこで、引戸レール１１は、逃げ溝１１ｂを下に向けて戸枠１０の上枠部１０ａに固定する。
【００１６】
引戸１２は、例えば木製パネルで、上下の横框と、左右の縦框と、各框間の縦桟および横桟とで格子状に組んだ枠体を間に挟んで一対の鏡板材を張り合わせて組み立て、上部側の横框には、上端面の戸先側と戸尻側にそれぞれ細長い取付溝１２ａを凹設している。下部側の横框には、下端面の長さ方向に沿って１つの取付溝１２ｂを凹設している。上部の戸先側と戸尻側の取付溝１２ａには、それぞれ戸車ユニットｒの細長に支持ブラケット組立体１４が嵌め込まれる。戸車ユニットｒは、図２に示すように、ベースの支持ブラケット組立体１４上に戸車ブラケット１６を取り付けて引戸１２の上端面より高く搭載し、それら戸車ブラケット１６に横架した一対の横車軸１７でそれぞれ戸車１８を回転自在に枢支する。一方、下部側の取付溝１２ｂには、図６に示すように、シャッタ２０を昇降自在に取り付けた引戸下部シャッタ装置のチャンネル型ケースが嵌め込まれている。
【００１７】
そこで、引戸１２は、図１に示すように、戸車１８を引戸レール１１の走行リブ１１ｃに係合して開閉方向に移動自在に懸架し、図６に示すように、引手１３に手を掛けて引戸１２を移動させると、開口部Ｓが開閉するように吊り込んでいる。図示例の引戸構造体では、この引戸１２を閉じるとき、引戸下部シャッタ装置が作動し、シャッタ２０を自動的に降ろして引戸１２の下部と床Ｆとの間に開いた通気用の下部隙間を遮蔽すると同時に、引戸上部シャッタ装置Ｒが作動し、シャッタ１５を自動的に降ろして引戸１２の上部と戸枠１０の上枠部１０ａとの間に開いた上部隙間ｇを遮蔽する構造になっている。
【００１８】
引戸上部シャッタ装置Ｒは、図１に示すように、シャッタ１５を格納して昇降可能に支持するシャッタケース２５（支持手段）と、シャッタ１５の移動を案内するガイド手段３０と、シャッタ１５を動かす作動手段３５を備えた構成になっている。
【００１９】
シャッタケース２５は、アルミの押し出し材を用いて、図１、図４および図５に示すように、全体を引戸１２の図中左右の横幅に対応した長さの略コ形に成形し、対向する側板部１９・２１の一側側板部１９には、図中下端寄りに、断面Ｌ状のレール部１９ａを、突端を上板部２２に向け長さ方向に沿って突設する一方、上板部２２には、レール部１９ａの突端に向けて突出するガイドリブ２２ａをレール部１９ａと平行に列設し、レール部１９ａとの間に一側側板部１９の内壁面に沿ってガイド溝２９を形成する。また、上板部２２は、一側側板部１９の外側へ断面Ｌ形の鍔状に延びる取付リブ２２ｂをガイドリブ２２ａと平行に列設している。更に、一側側板部１９には、長さ方向両端に取付穴２３・２４を設けてなる。
【００２０】
シャッタ１５は、ゴムや樹脂等の弾性材でつくり、全体を、シャッタケース２５の対向側板部１９・２１に対応して図中左右に横長で、図中上下の縦に幅広な帯状に成形する。シャッタ１５には、幅方向片側の肉厚な基端部に長さ方向に沿って一段薄肉な部分を凹設して帯状溝１５ａを形成する一方、その基端部側から図中下方の先端縁に向かうに従い薄くして先端縁側を撓み可能に成形する。更に、シャッタ１５には、帯状溝１５ａ内の長さ方向両端寄りでシャッタケース２５の取付穴２３・２４と対応する位置にピン穴２６・２７を設けると共に、ピン穴２７と片側端縁との間にもピン穴２８を設けてなる。
【００２１】
ガイド手段３０は、一対の固定ガイド４０・４５と可動ガイド５０とで構成されている。固定ガイド４０・４５は、ガイド板３１・３２とガイドピン３３・３４を備えてなる。ガイド板３１・３２は、樹脂製で、シャッタケース２５のガイド溝２９に嵌め込め可能に外形をやや横長で矩形板状につくる一方、内側の対角位置にカム穴３６・３７と弾性止め片３８・３９を一体に成形する。カム穴３６・３７は、長さ方向片側にガイドピン３３・３４の軸部３３ａ・３４ａを係合する掛止穴部３６ａ・３７ａを設けると共に、掛止穴部３６ａ・３７ａから図中下向きに連なる穴縁を傾斜させてカム面３６ｂ・３７ｂを形成する。弾性止め片３８・３９は、ガイド板３１・３２にＵ形の切り込みを入れて撓み可能にした薄板片部３１ａ・３２ａを備えると共に、薄板片部３１ａ・３２ａの端縁に掛止突部３１ｂ・３２ｂを凸設してなる。一方、ガイドピン３３・３４は、軸部３３ａ・３４ａの中間に環状鍔部３３ｂ・３４ｂを設けてなる。
【００２２】
可動ガイド５０は、ガイド板４１と押圧ピン４２を備えてなる。ガイド板４１は、樹脂製で、シャッタケース２５のガイド溝２９に摺動自在に係合するように外形がやや横長の矩形板状につくる一方、内側に横に並べて押圧ピン４２の軸部４２ａを係合する押穴４３と、円形の着磁穴４４を並設すると共に、一側側端部４１ａに着磁穴４４に通ずる細い磁石投入口４６を設ける。押穴４３は、押圧ピン４２の軸部４２ａが係合可能な穴幅で図中上下の幅方向に長い逃げ穴になっている。押圧ピン４２は、軸部４２ａの中間に環状鍔部４２ｂを設けてなる。
【００２３】
そこで、ガイド手段３０は、固定ガイド４０・４５におけるガイドピン３３・３４の軸部３３ａ・３４ａの一端と、可動ガイド５０における押圧ピン４２の軸部４２ａの一端をシャッタ１５のピン穴２６・２７・２８に嵌着し、各々の鍔部３３ｂ・３４ｂ・４２ｂを帯状溝１５ａに嵌め込んで軸支する。一方、ガイドピン３３・３４の軸部３３ａ・３４ａの他端を、ガイド板３１・３２のカム穴３６・３７の掛止穴部３６ａ・３７ａに係合して固定ガイド４０・４５をシャッタ１５に掛け止め、押圧ピン４２の軸部４２ａの他端を、ガイド板４１の押穴４３に係合して可動ガイド５０をシャッタ１５に掛け止める。それから、ガイド板３１・３２・４１を順次、シャッタケース３０のガイド溝２９に嵌め込んでレール部１９ａ上をスライドさせながら、シャッタ１５をシャッタケース２５内に差し込んでから、弾性止め片３８・３９の掛止突部３１ｂ・３２ｂが取付穴２３・２４の位置に至ると、薄板片部３１ａ・３２ａの弾性力で掛止突部３１ｂ・３２ｂが押されて取付穴２３・２４に嵌り込み、固定ガイド４０・４５のガイド板３１・３２が一側側板部１９に固定される。そして、固定ガイド４０・４５のガイドピン３３・３４に掛けてシャッタ１５をシャッタケース２５に吊持し、図５に示すように、シャッタユニットＣが組み立てられる。なお、ガイド手段３０の可動ガイド５０は、シャッタケース２５のガイド溝２９にスライド自在に係着してなる。
【００２４】
シャッタユニットＣは、可動ガイド５０を戸先側に向けて、図１および図７に示すように、引戸レール１１の差込溝１１ｄに取付リブ２２ｂを差し込み、一側側板部１９を引戸レール１１の側面に組み付ける。そこで、シャッタユニットＣは、引戸１２が開いているときは、固定ガイド４０・４５のガイドピン３３・３４がカム穴３６・３７の掛止穴部３６ａ・３７ａに係合し、シャッタ１５を、シャッタケース２５内に格納して上部隙間ｇを開放する高さの第１位置に吊持する。一方、閉時、引戸１２が閉方向Ｘに移動して開口部Ｓを全閉する直前の所定始動位置に至ると、引戸上部シャッタ装置Ｒは、作動手段３５を作動してシャッタ１５を引戸１２に連動して閉方向Ｘに移動しながら下降する構成になっている。
【００２５】
作動手段３５は、戸車ユニットｒに備えた第１マグネット５５と、シャッタユニットＣの可動ガイド５０に備えた第２マグネット６０とで構成する。第１マグネット５５は、図３に示すように、一対の矩形ブロック状をなし、第２マグネット６０より強磁性の永久磁石で、右勝手と左勝手用にホルダ６５に設けた一対の嵌合穴６５ａに嵌め込んで保持する。そこで、作動手段３５は、ホルダ６５を、図２に示すように、戸先側戸車ユニットｒの戸車ブラケット１６上にあって、戸車１０の戸先側前方に組み付けて第１マグネット５５を搭載する。一方、第２マグネット６０は、図４に示すように、コイン状の永久磁石で、可動ガイド５０の磁石投入口４６から着磁穴４４へ押し込み、図５に示すように、着磁穴４４から外部に臨ませた状態でガイド板４１に組み込む。すると、作動手段３５は、シャッタユニットＣを、可動ガイド５０を戸先側に向けて、図１に示すように、引戸レール１１の側面に組み付けた状態において、引戸１２を開閉するときに第１マグネット５５と第２マグネット６０とが横に並列する高さ位置で引き違うように構成されている。
【００２６】
従って、作動手段３５は、引戸１２が閉方向Ｘに移動し、戸先側戸車ユニットｒに搭載の第１マグネット５５がシャッタ１５側の第２マグネット６０と引き違うとき、即ち、開口部Ｓを全閉する直前の所定始動位置に至ると、強磁性の第１マグネット５５が第２マグネット６０を磁気的に吸引し、引戸１２の移動に従い可動ガイド５０のガイド板４１をシャッタケース３０のガイド溝２９に沿って閉方向Ｘへ直進させて、押穴４３の穴縁で押圧ピン４２を押してシャッタ１５を始動させる構成になっている。
【００２７】
一方、ガイド手段３０は、シャッタ１５が閉方向Ｘに始動すると、そのシャッタ１５の移動に従い、固定ガイド４０・４５のガイドピン３３・３４がカム穴３６・３７の掛止穴部３６ａ・３７ａから外れてカム面３６ｂ・３７ｂ上をその斜面に沿って落下し、このカム面３６ｂ・３７ｂの案内でガイドピン３３・３４と一体のシャッタ１５を、始めシャッタケース２５内に格納して上部隙間ｇを開放した高さの第１位置から、引戸１２と平行な姿勢で降下させて上部隙間ｇを遮蔽する高さの第２位置に向けて案内する構成になっている。
【００２８】
さて、上記引戸構造体において、引戸１２は、図１に示すように、引戸レール１１の走行リブ１１ｃの案内で戸車１８を転動しながら閉方向Ｘに移動して開口部Ｓを閉じるが、この閉時、引戸上部シャッタ装置Ｒは、引戸１２が開口部Ｓを全閉する直前の所定始動位置に至ると、即ち、図８および図９に示すように、引戸１２側の第１マグネット５５がシャッタ１５側の第２マグネット６０と引き違うとき、強磁性の第１マグネット５５が第２マグネット６０を磁気的に吸引し、引戸１２の移動に従い可動ガイド５０のガイド板４１をシャッタケース３０のガイド溝２９に沿って閉方向Ｘへ直進させて押穴４３の穴縁で押圧ピン４２を押してシャッタ１５を始動させる。
【００２９】
シャッタ１５が閉方向Ｘに動き出すと、そのシャッタ１５の移動に従い、固定ガイド４０・４５のガイドピン３３・３４がカム穴３６・３７の掛止穴部３６ａ・３７ａから外れてカム面３６ｂ・３７ｂの上を斜面に沿って落下し、このカム面３６ｂ・３７ｂの案内でガイドピン３３・３４と一体のシャッタ１５を、シャッタケース２５内に格納して上部隙間ｇを開放した高さの第１位置から引戸１２と平行な姿勢を保持して下降する。それから更に引戸１２を閉方向Ｘに移動し、戸先側木口１２ｃが戸枠１０の縦枠部１０ｂに当って開口部Ｓを全閉する頃、シャッタ１５を、引戸１２と平行に並走しながら、図１０および図１１に示すように、その引戸１２の上端面に先端縁１５ｂを着地させて上枠部１０ａとの間の上部隙間ｇを遮蔽し、上部隙間ｇから音や臭いが漏れないように密閉することができる。
【００３０】
しかも、閉時に上部隙間ｇを遮蔽するとき、引戸上部シャッタ装置Ｒでは、シャッタ１５を、シャッタケース２５内に格納して上部隙間ｇを開放した高さの第１位置から、引戸１２と平行な姿勢を保持して引戸１２と平行に並走しながら降下し、その引戸１２の上に先端縁１５ｂを着地させて上部隙間ｇを遮蔽するため、引戸１２の閉止途中に、シャッタ１５の先端縁１５ｂが引戸１２の上端面を擦ったり摺ったりすることがなく、その結果、引戸を擦ったりして騒音を発生したり、シャッタ１５が劣化して耐久性が低下するのを防止することができる。
【００３１】
なお、図示例では、上述のように開口部Ｓを引戸１２で閉めるとき、引戸下部シャッタ装置を作動し、図６に示すように、シャッタ２０を自動的に降ろして引戸１２の下部と床Ｆ間に開いた通気用の下部隙間を遮蔽し、下部隙間からも音や臭いが漏れないように密閉する。
【００３２】
しかる後、全閉した開口部Ｓを再び開けるとき、引戸１２を開方向Ｙに引いて移動すると、引戸上部シャッタ装置Ｒでは、図１１に示すように、作動手段３５の第１マグネット５５が横に並んだ第２マグネット６０を磁気的に吸引して可動ガイド５０のガイド板４１をシャッタケース３０のガイド溝２９に沿って開方向Ｙへ直進させて押穴４３の穴縁で押圧ピン４２を押してシャッタ１５を同方向に動かす。シャッタ１５が開方向Ｙに動き出すと、そのシャッタ１５の移動に従い、固定ガイド４０・４５のガイドピン３３・３４がカム穴３６・３７のカム面３６ｂ・３７ｂの上をその斜面に沿って上昇して掛止穴部３６ａ・３７ａに係合し、シャッタ１５を、上部隙間ｇを開放した高さの第１位置へ持ち上げてシャッタケース２５内に格納する。
【符号の説明】
【００３３】
Ｆ                床
Ｒ                扉用シャッタ装置
Ｓ                開口部
ｇ                上部隙間
１０              戸枠
１０ａ            上枠部
１１              引戸レール
１２              引戸
１５              シャッタ
２５              シャッタケース（支持手段）
３０              ガイド手段
３１・３２・４１  ガイド板
３３・３４        ガイドピン
３５              作動手段
３６・３７        カム穴
３６ａ・３７ａ    掛止穴部
３６ｂ・３７ｂ    カム面
４０・４５        固定ガイド
４２              押圧ピン
５０              可動ガイド
５５              第１マグネット
６０              第２マグネット
【要約】
【課題】シャッタが擦れる騒音を発生させることなく、しかも、シャッタの耐久性を低下させることなく、閉時に引戸と戸枠の上枠部との間の隙間を確実に遮蔽する引戸上部シャッタ装置を提供する。
【解決手段】引戸上部シャッタ装置Ｒは、閉時、引戸１２が開口部Ｓを全閉する直前の所定始動位置に至ると、作動手段３５を作動してシャッタ１５を閉方向Ｘに始動し、シャッタが閉方向に動き出すと、シャッタを、引戸と上枠部１０ａとの間の上部隙間ｇを開放した高さの第１位置から、引戸と平行な姿勢を保持して並走させながら下降させて、上部隙間を遮蔽する高さの第２位置に向けて案内する構成になっている。
【選択図】          図１【図１】
0004708501.tif 000002
【図２】
0004708501.tif 000003
【図３】
0004708501.tif 000004
【図４】
0004708501.tif 000005
【図５】
0004708501.tif 000006
【図６】
0004708501.tif 000007
【図７】
0004708501.tif 000008
【図８】
0004708501.tif 000009
【図９】
0004708501.tif 000010
【図１０】
0004708501.tif 000011
【図１１】
0004708501.tif 000012